(57)【特許請求の範囲】
【請求項１】
ディスクのセンタ穴に嵌合される隆起状のディスク嵌合部にディスクチャッキング用部材であるマグネット又はマグネット吸着部材をインサートして成るターンテーブルであって、
上記ディスク嵌合部に、ターンテーブルの成形時に上記ディスクチャッキング用部材を位置決めするための金型ピンが通る抜孔を有し、この抜孔の周囲の部分を、上記ディスク嵌合部の周面のディスク摺動面より低い段差を有する凹状に形成したことを特徴とするターンテーブル。
【請求項２】
ディスクのセンタ穴に嵌合される隆起状のディスク嵌合部にディスクチャッキング用部材であるマグネット又はマグネット吸着部材をインサートして成るターンテーブルの製法であって、
成形型の上記ディスク嵌合部の周面に対応する複数部位に金型ピンを配置して上記ディスクチャッキング用部材を位置決めすると共に、上記金型ピンが通る抜孔の周囲の部分を、上記ディスク嵌合部の周面のディスク摺動面より低い段差を有する凹状に形成するようにして、ターンテーブルを成形することを特徴とするターンテーブルの製法。
【請求項３】
請求項１に記載のターンテーブルをディスク回転機構に備えたことを特徴とするディスクドライブ装置。
【発明の詳細な説明】
【０００１】
【発明の属する技術分野】
本発明は、光ディスク、光磁気ディスク等のディスク状記録媒体を回転駆動し、情報の記録及び／又は再生を行うディスクドライブ装置に備えるターンテーブル、その製法及びディスクドライブ装置に関する。
【０００２】
【従来の技術】
一般に、ＣＤ、ＣＤ−ＲＯＭ、ＤＶＤ等の光ディスク或いは光磁気ディスク等のディスク状記録媒体は、ディスクドライブ装置に装填して情報の記録及び／又は再生を行う。このディスクドライブ装置は、例えば、スピンドルモータの回転軸に取り付けられたターンテーブル上にディスク状記録媒体である光ディスクを載置し、チャッキングして回転駆動すると共に、光学ピックアップ装置の光学ヘッドによってレーザ光を光ディスクの情報記録面に照射し、光学ピックアップ装置を光ディスクの半径方向に移動させながら光ディスクに対し記録／再生を行うようにしている。
【０００３】
このようなディスクドライブ装置としては、例えば、図８に示すようなものが知られている。この図８に示すディスクドライブ装置１は、上面及び前面に開口した箱型のメインシャーシ２と、このメインシャーシ２の前面開口部から光ディスクＤを載置して出し入れされるディスク載置部３ａを有するディスクトレイ３と、メインシャーシ２の凹陥部内に収納されて揺動可能に支持されるベースホルダ４と、このベースホルダ４に弾性支持されるベースユニット５等を備えて構成されている。
【０００４】
ベースユニット５は、光ディスクＤが装着されるターンテーブル６を回転自在に支持するスピンドルシャーシ７とターンテーブル６に装着された光ディスクＤに対して情報の再生を行う光学ピックアップ装置８を移動可能に支持するピックアップシャーシ９等を備えている。このスピンドルシャーシ７とピックアップシャーシ９とによりベースシャーシ１０が構成されている。
【０００５】
このベースユニット５のピックアップシャーシ９はスピンドルシャーシ７にほぼ中央部において回動自在に保持されて、ベースユニット５を支持するベースホルダ４は、後端部においてメインシャーシ２に軸支されており、先端部に設けたカムピン１１がメインシャーシ２の前部に配設したチャックカム機構１２に係合されてチャックカム機構１２の駆動により後端軸支部を支点として上下に回動されるようになっている。
【０００６】
スピンドルシャーシ７に支持されるターンテーブル６は、光ディスクＤのセンタ穴ｄの周縁部が載置される載置部６ａと、センタ穴ｄに嵌合される頭截円錐状のディスク嵌合部６ｂとが一体に形成され、ディスク嵌合部６ｂにはリング状のマグネット１３がリング状のヨークプレート１４ともにインサートされて構成されており、このターンテーブル６は、スピンドルシャーシ７に固定したスピンドルモータ１５の回転軸１５ａに中心軸部において嵌合固定されている。
【０００７】
そして、メインシャーシ２の上部には、ディスクトレイ３の上方を横切るように、チャックホルダ１６が取付けられて、このチャックホルダ１６にターンテーブルに対応するチャッキングプレート１７が揺動及び回動可能に保持されている。
【０００８】
このように構成されるディスクドライブ装置１は、不使用の状態では、ベースユニット５が下方へ移動されており、すなわち、ベースホルダ４が後端軸支部を支点として前傾回動されて、スピンドルシャーシ７に支持されるターンテーブル６はディスクトレイ３の下側に位置されている。
【０００９】
そこで、光ディスクＤの再生を行うには、イジェクト操作により、ディスクトレイ３をメインシャーシ２から引き出し、ディスク載置部３ａに光ディスクＤを載置した後、ローディング操作してディスクトレイ３がメインシャーシ２内に引き込まれるとベースホルダ４がチャックカム機構１２の駆動によりカムピン１１を介して上方へ回動し略水平状態となる。このベースホルダ４の上方への回動により、ターンテーブル６はディスクトレイ３の開口部３ｂに下側から入り込み、ディスク嵌合部６ｂがディスクトレイ３に載置されている光ディスクＤのセンタ穴ｄに嵌合して、そのセンタ穴ｄの周縁部がターンテーブル６のディスク載置部６ａに載置される。このターンテーブル６のディスク載置部６ａによって光ディスクＤが若干持ち上げられると共に、チャックホルダ１６に保持されているチャッキングプレート１７がターンテーブル６のディスク嵌合部６ｂにインサートされているマグネット１３によって吸引される。
【００１０】
これにより、光ディスクＤはターンテーブル６とチャッキングプレート１７とにより挟持状にチャッキングされてターンテーブル６と回転方向に一体化されてスピンドルモータ１５の駆動によって所定速度で回転され、光学ピックアップ装置８の所定の移動により再生が行われる。
【００１１】
【発明が解決しようとする課題】
このようなディスクドライブ装置１においては、光ディスクＤの回転駆動機構のターンテーブル６は、図８に示すようにディスクＤをチャッキングプレート１７とによりチャッキングするために図１１に示すようにディスクＤのセンタ穴ｄに嵌合する頭截円錐状のディスク嵌合部６ｂに中心軸部を囲繞してリング状のマグネット１３をリング状のヨークプレート１４とともにインサートされている。
【００１２】
このマグネット１３及びヨークプレート１４は、ターンテーブル６の偏心回転を防止するためにディスク嵌合部６ｂにターンテーブル中心軸部と同心状にインサートする必要がある。
【００１３】
このため、マグネット１３、ヨークプレート１４をインサートしてターンテーブル６を成形する場合、マグネット１３、ヨークプレート１４の位置決めが必要となる。このため、従来は図１１に示すように、ターンテーブル６の成形時、金型にはマグネット１３、ヨークプレート１４の横方向の位置決め用の金型ピン１８をディスク嵌合部６ｂの周面に位置して少なくとも３個所に配置し、この金型ピン１８によりマグネット１３、ヨークプレート１４を横方向に位置決めした状態でターンテーブル６の成形を行っていた。
【００１４】
しかしながら、このように成形されたターンテーブル６には図９及び図１０に示すようにディスク嵌合部６ｂの周面に金型ピン１８の抜孔１９が表出することになる。このターンテーブル６はディスクチャッキング動作においては図１２のＡ，Ｂに示すように光ディスクＤに対して下側、斜め方向から上昇して嵌合部６ｂが光ディスクＤのセンタ穴ｄに嵌合されるが、この際、ディスク嵌合部６ｂの傾斜周面はディスクセンタ穴ｄの内周縁に摺接するディスク摺動面６ｃとなり、このディスク摺動面６ｃに金型ピンの抜孔１９が掛かってしまうことになる。
【００１５】
このため、ディスクチャッキング時においてターンテーブル６のディスク嵌合部６ｂの周面であるディスク摺動面６ｃの金型ピンの抜孔１９の縁部に光ディスクＤがセンタ穴ｄの内周縁において引っ掛かり易くなり、ともすると光ディスクＤのチャッキング不具合を生じるおそれがある。特に金型ピンの抜孔１９の周縁に成形上のばりや返り等が発生すると、この問題が生じる可能性は更に大きくなるおそれがある。
【００１６】
本発明は、かかる点に鑑みてなされたもので、ディスクドライブ装置に備えるターンテーブルであって、ディスク嵌合部にディスクチャッキング用部材であるマグネット又はマグネット吸着部材をインサートして成形されるターンテーブルをディスクチャッキング用部材位置決め用の金型ピンがディスク摺動面に掛からないように配置して成形することを目的とする。
【００１７】
【課題を解決するための手段】
上記目的を達成するために本発明は、ディスクのセンタ穴に嵌合される隆起状のディスク嵌合部にディスクチャッキング用部材であるマグネット又はマグネット吸着部材をインサートして成るターンテーブルであって、ディスク嵌合部に、ターンテーブルの成形時にディスクチャッキング用部材を位置決めするための金型ピンが通る抜孔を有し、この抜孔の周囲の部分を、ディスク嵌合部の周面のディスク摺動面より低い段差を有する凹状に形成して構成したものである。
【００１８】
このように構成される本発明によるターンテーブルは、ディスク嵌合部の周面に金型ピンの抜孔が表出されるが、本発明ではこの抜孔の周囲の部分がディスク嵌合部の周面のディスク摺動面より低い段差を有する凹状に形成されていることにより、抜孔の周縁に成形ばりや返り等があってもディスク摺動面に影響を及ぼすことがなく、従って、ターンテーブルをディスクに嵌合する際に、ディスクはセンタ穴の内周縁がディスク嵌合部のディスク摺動面において引っ掛かることなく円滑に嵌合載置される。
【００１９】
また、本発明は、ディスクのセンタ穴に嵌合される隆起状のディスク嵌合部にディスクチャッキング用部材であるマグネット又はマグネット吸着部材をインサートして成るターンテーブルの製法であって、成形型のディスク嵌合部の周面に対応する複数部位に金型ピンを配置してディスクチャッキング用部材を位置決めすると共に、金型ピンが通る抜孔の周囲の部分を、ディスク嵌合部の周面のディスク摺動面より低い段差を有する凹状に形成するようにして、ターンテーブルを成形するものである。
【００２０】
このようにして成形されるターンテーブルは、ディスク嵌合部の周面に金型ピンの抜孔が表出されるが、本発明ではこの抜孔の周囲の部分がディスク嵌合部の周面のディスク摺動面より低い段差を有する凹状に形成されていることにより、抜孔の周縁に成形ばりや返り等があってもディスク摺動面に影響を及ぼすことがなく、従って、ターンテーブルをディスクに嵌合する際に、ディスクはセンタ穴の内周縁がディスク嵌合部のディスク摺動面において引っ掛かることなく円滑に嵌合載置される。
【００２１】
【発明の実施の形態】
以下、本発明の実施の形態を図１〜図７を参照して説明するに、この実施の形態のターンテーブルも前述した如きディスクドライブ装置に備えられるものである。
【００２２】
先ず、図１〜図４を参照して実施の形態の一例を説明する。図１は、一例のターンテーブルの斜視図、図２は、同ターンテーブルの平面図、図３は、同ターンテーブルの成形状態の断面図、図４は、同ターンテーブルとチャッキングプレートとの関係を示す斜視図である。
【００２３】
この図１〜図４に示す一例のターンテーブル２１は、前述したターンテーブルと同様に、ディスクのセンタ穴の周縁部が載置されるディスク載置部２１ａとディスクセンタ穴に嵌合される頭截円錐状のディスク嵌合部２１ｂとが一体に形成され、ディスク嵌合部２１ｂにディスクチャッキング用部材２３であるリング状のマグネット２４とリング状のバックヨークプレート２５が、中心軸孔２１ｃを囲繞してインサートして構成される。
【００２４】
そして、この一例のターンテーブル２１は、ディスク嵌合部２１ｂの周面であるディスク摺動面２１ｄの複数部位(この例では５個所)に、ターンテーブルの成形時にディスクチャッキング用部材２３を位置決めするための金型ピンが通る抜孔２８を有し、この抜孔２８の周囲の部分２６をディスク摺動面２１ｄより一段低い段差を有する凹状に形成したものである。
【００２５】
この一例のターンテーブル２１の成形は、図３に示すように、成形型のディスク嵌合部２１ｂのディスク摺動面２１ｄに対応する複数部位に、ディスクチャッキング用部材位置決め用の金型ピン２７を配置し、この金型ピン２７によりディスクチャッキング用部材２３であるマグネット２４とバックヨークプレート２５を中心軸孔２１ｃと同心状に位置するように横方向に位置決めした状態で成形を行う。
【００２６】
このように成形されたターンテーブル２１には、ディスク嵌合部２１ｂの周面に金型ピン２７の抜孔２８が表出することになるが、この抜孔２８はその周囲の部分２６がディスク嵌合部２１ｂの周面であるディスク摺動面２１ｄより一段低い段差を有する凹状に形成されているので、ディスク摺動面２１ｄに影響を及ぼすことはなく、たとい、抜孔２８の周縁部に成形ばりや返り等が発生したとしても、これがディスク摺動面２１ｄに突出することはない。
【００２７】
従って、このターンテーブル２１をディスクに嵌合する際に、ディスクはセンタ穴の内周縁がディスク嵌合部２１ｂのディスク摺動面２１ｄにおいて引っ掛かることなく円滑に嵌合載置される。
【００２８】
このように構成されるこの一例のターンテーブル２１において、ディスク嵌合部２１ｂに内蔵されるディスクチャッキング用部材２３としてはマグネット２４のみでもよく、この場合は金型ピン２７の長さをバックヨークプレート２５に対応する分だけ短くすることができる。
【００２９】
また、図４に示すようにターンテーブル２１と対応関係にあるチャッキングプレート２９側にマグネットを配置した場合は、ターンテーブル２１側のディスクチャッキング用部材２３としては、鉄板等のマグネット吸着プレートを用いることになる。
【００３０】
また、ターンテーブル２１は、例えばＡＢＳ樹脂等の樹脂材により成形するが、アルミニウム合金等の非鉄金属材により成形することができる。
【００３１】
次に、図５〜図７を参照して実施の形態の他例を説明する。図５は、他例のターンテーブルの斜視図、図６は、同ターンテーブルの平面図、図７は、同ターンテーブルの成形状態の断面図である。
【００３２】
この図５〜図７に示す他例のターンテーブル３１は、ＤＶＤ等のディスクドライブ装置に備えられる調芯機構を有する可動式のターンテーブルである。このターンテーブル３１は、前述した一例のターンテーブル２１と同様に、ディスクのセンタ穴の周縁部が載置されるディスク載置部３１ａとディスクセンタ穴に嵌合される頭截円錐状のディスク嵌合部３１ｂとが一体に形成され、ディスク嵌合部３１ｂにディスクチャッキング用部材３３であるリング状のマグネット３４が中心軸孔３１ｃを囲繞してインサートして構成されている。
【００３３】
このターンテーブル３１の調芯機構としてディスク嵌合部３１ｂの周面には複数の弾性片３１ｄが形成されており、この全ての弾性片３１ｄの自由端の先端部に接する円の直径は、ディスクのセンタ穴の直径よりも若干大径に設定されている。この弾性片３１ｄの自由端が複数個所でディスクセンタ穴の内周面に圧接されることにより、ディスクがターンテーブル３１にセンタリングされて位置決めされる。一方、ディスク嵌合部３１ｂの周面の弾性片３１ｄ間の固定面部はディスク摺動面３１ｅとして形成されている。
【００３４】
そして、この他例のターンテーブル３１は、ディスク嵌合部３１ｂの調芯機構部である弾性片３１ｄの固定端部付近の部位に、ターンテーブルの成形時にディスクチャッキング用部材２３を位置決めするための金型ピンが通る抜孔を有し、この抜孔の周囲の部分３５をディスク摺動面３１ｅより一段低い段差を有する凹状に形成したものである。
【００３５】
この他例のターンテーブル３１の成形は、図７に示すように、成形型のディスク嵌合部３１ｂのディスク摺動面３１ｅに対応する複数部位に、ディスクチャッキング用部材位置決め用の金型ピン３６を配置し、この金型ピン３６によりディスクチャッキング用部材３３であるマグネット３４を中心軸孔３１ｃと同心状に位置するように横方向に位置決めした状態で成形を行う。
【００３６】
このように成形されたターンテーブル３１は、ディスク嵌合部３１ｂの周面に金型ピン３６の抜孔が表出することになるが、この抜孔はその周囲の部分３５がディスク嵌合部３１ｂの周面であるディスク摺動面３１ｅより一段低い段差を有する凹状に形成されているので、ディスク摺動面３１ｅに影響を及ぼすことはない。
【００３７】
従って、このターンテーブル３１をディスクに嵌合する際に、ディスクはセンタ穴の内周縁がディスク嵌合部３１ｂのディスク摺動面３１ｅにおいて引っ掛かることなく円滑に嵌合載置され、複数の弾性片３１ｄにより調芯されてターンテーブル３１に正確に載置されチャッキングプレートにより確実にチャッキングされる。
【００３８】
このように構成されるこの他例のターンテーブル３１においては、一例のターンテーブル２１とは異なりマグネット３４に対してバックヨークプレートは内蔵されていないが、このバックヨークプレートを内蔵する場合は金型ピン３６としてマグネット３４とバックヨークプレートを重ねた厚みに対応する長さのものを用いて成形し、段面状のマグネット位置決め部３５には金型ピン３６の抜孔が形成されることになる。
【００３９】
また、このターンテーブル３１は弾性を保有する樹脂材により成形することが望ましい。
【００４０】
以上のように構成される一例のターンテーブル２１と他例のターンテーブル３１は、図８に示すようなディスクドライブ装置に備えられる。この図８に示すディスクドライブ装置はターンテーブルがディスクに対して斜め下方から嵌合してディスクを載置し、チャッキングする構成であるが、ターンテーブルがディスクに対して平行に近接して嵌合し、ディスクをチャッキングするように構成したディスクドライブ装置にも、また、ディスクがターンテーブルに対して近接して嵌合し、ディスクをチャッキングするように構成したディスクドライブ装置にも備えることができるものである。
【００４１】
以上、本発明の実施の形態の例を説明したが、本発明はこれらの実施の形態の例に限定されるものではなく、本発明の趣旨を逸脱しない範囲で種々変更できるものである。
【００４２】
例えば、ターンテーブルの外観形状は任意に変更てきるものであり、また、ターンテーブルの駆動機構も限定されないものである。
【００４３】
そして、本発明のターンテーブルは各種のディスクドライブ装置に適用できるものである。
【００４４】
【発明の効果】
以上のように本発明によるターンテーブルは、ディスク嵌合部の周面に金型ピンの抜孔が表出されるが、本発明ではこの抜孔の周囲の部分がディスク嵌合部の周面のディスク摺動面より低い段差を有する凹状に形成されていることにより、抜孔の周縁に成形ばりや返り等があってもディスク摺動面に影響を及ぼすことがなく、従って、ターンテーブルをディスクに嵌合する際に、ディスクはセンタ穴の内周縁がディスク嵌合部のディスク摺動面において引っ掛かることなく円滑に嵌合載置されて確実にチャッキングされ、ディスクの安定した確実な回転が実現できて、信頼性が著しく向上する。
【図面の簡単な説明】
【図１】本発明の一例のターンテーブルの斜視図である。
【図２】図１に示すターンテーブルの平面図である。
【図３】図１に示すターンテーブルの成形状態の断面図である。
【図４】図１に示すターンテーブルとチャッキングプレートとの関係を示す斜視図である。
【図５】本発明の他例のターンテーブルの斜視図である。
【図６】図５に示すターンテーブルの平面図である。
【図７】図５に示すターンテーブルの成形状態の断面図である。
【図８】ディスクドライブ装置の一部省略した縦断側面図である。
【図９】従来のターンテーブルの平面図である。
【図１０】図９に示すターンテーブルの平面図である。
【図１１】図９に示すターンテーブルの成形状態の断面図である。
【図１２】ディスクに対するターンテーブルの嵌合載置動作を示し、Ａはディスクに対するターンテーブル嵌合中途の状態を示し、Ｂはディスクに対するターンテーブルの嵌合載置完了状態を示す。
【符号の説明】
２１，３１‥‥ターンテーブル、２１ａ，３１ａ‥‥載置部、２１ｂ，３１ｂ‥‥ディスク嵌合部、２１ｃ，３１ｃ‥‥中心軸孔、２１ｄ‥‥ディスク摺動面、３１ｄ‥‥弾性片、３１ｅ‥‥ディスク摺動面、２３，３３‥‥ディスクチャッキング用部材、２４，３４‥‥マグネット、２５‥‥バックヨークプレート、２６，３５‥‥抜孔の周囲の部分、２７，３６‥‥金型ピン、２８‥‥抜孔
【図１】
0003664098.tif 000002
【図２】
0003664098.tif 000003
【図３】
0003664098.tif 000004
【図４】
0003664098.tif 000005
【図５】
0003664098.tif 000006
【図６】
0003664098.tif 000007
【図７】
0003664098.tif 000008
【図８】
0003664098.tif 000009
【図９】
0003664098.tif 000010
【図１０】
0003664098.tif 000011
【図１１】
0003664098.tif 000012
【図１２】
0003664098.tif 000013